(57)【要約】  ウェブベースサービス、ロケーションベースサービス、モバイルデバイスに由来しデバイスのロケーションに関係しないサービス、音声ポータルを介して由来するサービス、音声通信を介して由来するウェブベースサービスの全てのモードに対して、モバイルデバイスに提供されるサービスの永久的なレコードを取得する機会を、モバイルデジタルデバイスのユーザに提供するシステムおよび方法が開示される。サービスは、チケットおよびクーポン等のロケーションに関係しないサービス、ならびに、最も近いお店またはホテルあるいは所与のロケーションの方向および／またはマップの取得、交通情報の取得、および、モバイルデバイスにおけるロケーションベースのクーポン取得等のロケーションベースのサービスを含む。
2005515523.tif 000002
【特許請求の範囲】
【請求項１】
モバイルデバイスにサービスを提供し、該モバイルデバイスのロケーションに該サービスの永久的なレコードを生成する方法であって、該サービスおよび該永久的なレコードは、複数のリモートサーバの少なくとも１つによって処理され、該方法は、
（Ａ）受信センターにおいて、該モバイルデバイスから該サービスに対するリクエストを受信するステップと、
（Ｂ）該受信センターから、該リクエストに対するデータをサービスサーバに提供するステップであって、該サービスサーバは、該複数のリモートサーバの少なくとも１つの中の１つである、ステップと、
（Ｃ）該サービスサーバにおいてサービスに対する該リクエストを処理するステップであって、該処理ステップは、該サービスに対するデータを生成する、ステップと、
（Ｄ）該サービスに対する該データをプリントサーバに提供するステップであって、該プリントサーバは、該複数のリモートサーバの少なくとも１つの中の１つである、ステップと、
（Ｅ）該プリントサーバにおいて、該データおよび他の格納されたデータを処理して、特定のプリンタに対する入力データを生成するステップと、
（Ｆ）該モバイルデバイスに該入力データを送信するステップであって、該入力は、該せービスの永久的なレコードとして該モバイルデバイスのロケーションにおける該特定のプリンタによって提供される、ステップと
を包含する、方法。
【請求項２】
前記受信センターは、受信サーバであり、該受信サーバは、前記複数のリモートサーバの少なくとも１つの中の１つである、請求項１に記載の方法。
【請求項３】
ステップ（Ｃ）は、トランザクションサーバにおいて、トランザクションを完了するステップであって、該トランザクションは、前記リクエストされたサービスに依存し、該トランザクションサーバは、該複数のリモートサーバの少なくとも１つの中の１つである、ステップ
をさらに包含する、請求項１に記載の方法。
【請求項４】
ステップ（Ｃ）の前に、前記受信サーバにおいて、前記モバイルデバイスのロケーションにおけるデータを受信するステップであって、該データは、該デバイスの該ロケーションを決定するための手段によって生成される、ステップ
をさらに包含する、請求項２に記載の方法。
【請求項５】
ステップ（Ｃ）の後に、前記モバイルデバイスに、サービスに対する前記リクエストが満たされたことを確認するメッセージを送信する、請求項１に記載の方法。
【請求項６】
ステップ（Ｅ）が、特定のプリンタのための最適品質プリントを実現するために、前記サービスに対する前記データおよび他のデータを処理して、入力データを生成するステップ
をさらに包含する、請求項１に記載の方法。
【請求項７】
前記受信サーバは、前記サービスサーバである、請求項２に記載の方法。
【請求項８】
前記受信サーバは、前記サービスサーバである、請求項４に記載の方法。
【請求項９】
前記受信サーバは、前記プリントサーバである、請求項２の記載の方法。
【請求項１０】
前記受信サーバは、前記サービスサーバである、請求項４の記載の方法。
【請求項１１】
前記リクエストされたサービスは、イベントチケットである、請求項１に記載の方法。
【請求項１２】
前記リクエストされたサービスは、クーポンである、請求項１に記載の方法。
【請求項１３】
前記リクエストされたサービスは、ロケーションベースのサービスである、請求項４に記載の方法。
【請求項１４】
前記デバイスのロケーションを決定する前記手段は、デバイスベースの方法を含む、請求項４に記載の方法。
【請求項１５】
前記デバイスのロケーションを決定する前記手段は、ネットワークベースの方法である、請求項４に記載の方法。
【請求項１６】
前記受信センターは、音声ポータルである、請求項１に記載の方法。
【請求項１７】
前記受信センターは、サービスセンターである、請求項１に記載の方法。
【請求項１８】
モバイルデバイスにサービスを提供し、該モバイルデバイスのロケーションにおいて該サービスの永久的なレコードを生成するシステムであって、該サービスおよび該永久的なレコードは、複数のリモートサーバの少なくとも１つによって処理され、該システムは、
受信センターにおいて、該モバイルデバイスから該サービスに対するリクエストを受信する手段と、
該受信センターから、該リクエストに対するデータをサービスサーバに提供する手段であって、該サービスサーバは、該複数のリモートサーバの少なくとも１つの中の１つである、手段と、
該サービスサーバにおいてサービスに対する該リクエストを処理する手段であって、該処理は、該サービスに対するデータを生成する、手段と、
該サービスに対する該データをプリントサーバに提供する手段であって、該プリントサーバは、該複数のリモートサーバの少なくとも１つの中の１つである、手段と、
該プリントサーバにおいて、該データおよび他の格納されたデータを処理して、特定のプリンタに対する入力データを生成する手段と、
該モバイルデバイスに該入力データを送信する手段であって、該入力は、該サービスの永久的なレコードとして該モバイルデバイスのロケーションにおける該特定のプリンタによって処理される、手段と
を備える、システム。
【請求項１９】
トランザクションサーバにおいて、トランザクションを完了する手段であって、該トランザクションは、前記リクエストされたサービスに依存し、該トランザクションサーバは、該複数のリモートサーバの少なくとも１つである、手段
をさらに備える、請求項１８に記載のシステム。
【請求項２０】
前記モバイルデバイスにサービスに対する前記リクエストが満たされたことを確認するメッセージを送信する手段をさらに備える、請求項１８に記載のシステム。
【請求項２１】
特定のプリンタに対して最適品質プリントを実現するために、前記サービスに対する前記データおよび他のデータを処理し、入力データを生成する手段
をさらに備える、請求項１８に記載のシステム。
【請求項２２】
前記リクエストされたサービスは、イベントチケットである、請求項１８に記載のシステム。
【請求項２３】
前記リクエストされたサービスは、クーポンである請求項１８に記載のシステム。
【請求項２４】
前記受信センターは、受信サーバであり、該受信サーバは、複数のリモートサーバの前記少なくとも１つの中の１つである、請求項１８に記載の方法。
【請求項２５】
前記受信サーバにおいて、前記モバイルデバイスのロケーションにおけるデータを受信する手段であって、該データは、デバイスの該ロケーションを決定する手段によって生成される、手段をさらに備える請求項２４に記載のシステム。
【請求項２６】
前記リクエストされたサービスは、ロケーションベースのサービスである、請求項２５に記載のシステム。
【請求項２７】
デバイスのロケーションを決定する前記手段は、デバイスベースのシステムを含む、請求項２５に記載のシステム。
【請求項２８】
デバイスのロケーションを決定する前記手段は、ネットワークベースのシステムを含む、請求項２５に記載のシステム。
【請求項２９】
前記受信センターは、音声ポータルである、請求項１８に記載のシステム。
【請求項３０】
前記受信センターは、サービスセンターである、請求項１８に記載のシステム。
【請求項３１】
モバイルデバイスにサービスを提供し、該モバイルデバイスのロケーションに該サービスの永久的なレコードを生成する、コンピュータ読み出し可能コードが組み込まれたコンピュータ読み出し可能媒体であって、該サービスおよび該永久的なレコードは、複数のリモートサーバの少なくとも１つによって処理され、該コードは、コンピュータ制御システムに、
受信センターから、該リクエストに対するデータをサービスサーバに提供させ、ここで、該サービスサーバは、該複数のリモートサーバの少なくとも１つの中の１つであり、
該サービスサーバにおいてサービスに対する該リクエストを処理させ、ここで、該処理は、該サービスに対するデータを生成し、
該サービスに対する該データをプリントサーバに提供させ、ここで、該プリントサーバは、該複数のリモートサーバの少なくとも１つの中の１つであり、
該プリントサーバにおいて、該データおよび他の格納されたデータを処理させ、特定のプリンタに対する入力データを生成させ、
該モバイルデバイスに該入力データを送信させ、ここで、該入力は、該せービスの永久的なレコードとして該モバイルデバイスのロケーションにおいて該特定のプリンタによって処理される、
コンピュータ読み出し可能媒体
を含む、コンピュータプログラム製品。
【請求項３２】
前記コンピュータ読み出し可能コードは、さらに前記コンピュータ制御システムに、
トランザクションサーバにおいてトランザクションを完了させ、ここで、該トランザクションは、前記リクエストされたサービスに依存し、該トランザクションサーバは、前記複数のリモートサーバの少なくとも１つの中の１つである、
請求項３１に記載のコンピュータプログラム製品。
【請求項３３】
前記コンピュータ読み出し可能コードは、さらに前記コンピュータ制御システムに、
前記モバイルデバイスにサービスに対する前記リクエストが満たされたことを確認するメッセージを送信させる、
請求項３１に記載のコンピュータプログラム製品。
【請求項３４】
前記受信センターは、受信サーバであり、該受信サーバは、前記複数のリモートサーバの少なくとも１つの中の１つである、請求項３１に記載のコンピュータプログラム製品。
【請求項３５】
前記コンピュータ読み出し可能コードは、さらに前記コンピュータ制御システムに、
受信サーバにおいて、前記モバイルデバイスから、前記サービスに対するリクエストを受信させ、ここで、該受信サーバは、前記複数のリモートサーバの少なくとも１つの中の１つである、
請求項３５に記載のコンピュータプログラム製品。
【請求項３６】
前記コンピュータ読み出し可能コードは、前記コンピュータ制御システムに、
前記受信サーバにおいて、前記モバイルデバイスのロケーションにおけるデータを受信させ、ここで、該データは、デバイスのロケーションを決定する手段によって生成される、
請求項３４に記載のコンピュータプログラム製品。
【請求項３７】
前記コンピュータ読み出し可能コードは、さらに前記コンピュータ制御システムに、
特定のプリンタに対して最適品質プリント実現するために、前記サービスに対する前記データおよび他のデータを生成させ、入力データを生成させる、
請求項３１に記載のコンピュータプログラム製品。
【請求項３８】
プロセッサによって実行されるプロセスによるアクセスのためのデータを格納するメモリであって、該メモリは、
サービスの永久的なレコードの画像を生成する構造であって、該構造は、
該サービスのための識別子と、
プリントされるレコードデータオブジェクトであって、該データオブジェクトは、該サービスの該永久的なレコードのための形式を規定する、プリントされるレコードデータオブジェクトと、
該サービスの該永久的なレコードにおいてプリントされる他のアイテムのリストと、
セキュリティアイテムデータオブジェクトであって、該セキュリティアイテムデータオブジェクトは、該サービスの該永久的なレコードの認証を検証する手段を提供する、セキュリティアイテムデータオブジェクトと
を含む、構造
を含む、メモリ。
【請求項３９】
プロセッサによって実行されるプロセスによるアクセスのためのデータを格納するメモリであって、該メモリは、
特定のプリンタのための入力データを生成する構造であって、該構造は、
該特定のプリンタの製造者の名前と、
該特定のプリンタのモデル番号と、
プリンタイメージングプロファイルデータオブジェクトであって、該プリンタプロファイルは、
該製造者名および該モデル番号によって識別される該特定のプリンタのための最適品質プリントを生成するために利用される情報
を含む、プリンタイメージングプロファイルデータオブジェクトと、
他のプリンタ記述子であって、該プリンタ記述子は、さらに該プリンタを識別するために利用される、他のプリンタ記述子と、
画像レンダリングプリファレンス記述子のリストであって、該記述子は、該プリンタのための画像をどのように提供するべきかを規定する、画像レンダリングプリファレンス記述子のリストと
を含む、該構造
を含む、メモリ。
【発明の詳細な説明】
【背景技術】
【０００１】
（発明の背景）
（発明の分野）
本発明は、モバイルデバイスの使用を介して利用可能なサービスに関する。より詳細には、本発明は、モバイルデバイスにおける与えられたサービスの永久的なレコードの提供に関する。
（背景の説明）
Ｗｏｒｌｄ  Ｗｉｄｅ  Ｗｅｂへのモバイルアクセスのためのインフラストラクチャーが成長するにつれ、可能なアプリケーションの数も増大している。モバイルＷｏｒｌｄ  Ｗｉｄｅ  Ｗｅｂへの許容性もまた、特に日本およびヨーロッパにおいて成長し続けている。２０００年９月までに、ＮＴＴ  ＤｏＣｏＭｏ  Ｉ−ｍｏｄｅ（Ｒ）サービスのユーザは、１千５百万を超えた。Ｉ−ｍｏｄｅ（Ｒ）サービスは、２０００年９月までで、バンキング、取引（クレジットカード、証券、保険）、旅行サービス、チケットサービス（コンサート、イベント等）、レストラン情報、電子メール、ニュース、ゲーム、およびアニメを含む。モバイルデバイスを介してアクセス可能な個人サービスおよびｅ−コマースの展望は、エキサイティングなものである。
【０００２】
２０００年の実施のインフラストラクチャーは、コンパクトＨＴＭＬ（ｃ−ＨＴＭＬ）、あるいは、ワイヤレスアプリケーションプロトコル（ＷＡＰ）およびそのマークアップ言語ＷＭＬのどちらかを利用する。２千百七十万人の加入者（世界に広がるワイヤレスインターネットユーザの約６０％を構成する）を有するＮＴＴ  ＤｏＣｏＭｏ  Ｉ−ｍｏｄｅ（Ｒ）サービスは、ｃ−ＨＴＭＬ、および、従来の回線交換システムに加えてパケット交換インターネットプロトコルシステム（ＰＤＣ−パーソナルデジタルセルラー）を利用する。回線交換システムにおいて、接続された後、ネットワークの一部分が、その接続に占有される。（パケット交換ネットワークにおいては、情報はパケットに分割され、ネットワークを介して送信され、受信側で再組立される。従って、ネットワーク全体は、全ての接続に対して利用可能である。）Ｉ−ｍｏｄｅ（Ｒ）において、コンテンツ（すなわち、目的のウェブサイト）は、ＨＴＴＰ、すなわち標準的なウェブプロトコルを利用して、いわゆるＩ−ｍｏｄｅ（Ｒ）センターへサービスプロバイダによって提供される。Ｉ−ｍｏｄｅ（Ｒ）センターは、ＨＴＴＰプロトコルを、電話が許容できる縮小されたプロトコルに変換し、それにより、コンテンツは電話に伝送され得る。
【０００３】
他の３９％のワイヤレスインターネットユーザは、ワイヤレスアプリケーションプロトコル（ＷＡＰ）を利用する電話を利用する。２０００年時点では、ＷＡＰが有効な電話は、既存の回線交換ネットワークを利用していた。ＷＡＰのためのマークアップ言語は、ＷＭＬである。ＷＭＬは、ＨＴＭＬと同様に、ＷＡＰが有効なデバイス内に構築されたブラウザ（マイクロブラウザ）によって読み出され、かつ、解釈される。ＷＡＰが有効な電話において、ユーザがマイクロブラウザを介してＵＲＬをリクエストする際に、ＵＲＬに対するリクエストは、ＷＡＰゲートウェイに送信される。ゲートウェイは、インターネットと接続し、ウェブサーバにおけるインターネットサービスとＷＡＰが有効な電話との間のインターフェイスとして機能する。いくらかのＷＡＰゲートウェイは、ＨＴＭＬドキュメントをＷＭＬに変換する。他の場合では、目的のサービス（ウェブページ）を含むウェブサーバは、ＷＭＬドキュメントを提供する。
【０００４】
モバイルデバイスのために構想されるアプリケーションは、イベントチケットおよびクーポンの取得からいわゆるロケーションベースのサービスにまで渡る。ＣＰＳ等のロケーション情報を取得する手段と結びついた、ロケーションベースのサービスは、最も近いお店やホテルの方向を取得すること、その人の現在のロケーションを示すこと、交通情報を取得すること、および、モバイルデバイスにおけるロケーションベースの広告を受信することを含む。
【０００５】
これらのアプリケーションのいくつかは、既に提供されている。日本では、ＡＬＡＮ  Ｃｏｒｐｏｒａｔｉｏｎは、バーコードを有するクーポンがＩ−ｍｏｄｅ（Ｒ）電話上に表示され、かつ、消費者が、その電話を提示することによってそのクーポンを利用し得る、サービス名Ｑ−ＰＨＯＮを提供している。バーコードは、クーポンを検証する手段として機能する。このサービスは、エキサイティングであるが、これはまた、現在利用可能なサービスの欠点のいくらかを示す。既に説明されたように、１００，０００を超える登録加入者によって、サービスへのアクセスは、時には遅くなり得、忍耐が望まれる。（Ｍｏｂｉｌｅ  Ｍｅｄｉａ  Ｊａｐａｎの２００１年５月７日のｈｔｔｐ：／／ｗｗｗ．ｍｏｂｉｌｅｍｅｄｉａｊａｐａｎ．ｃｏｍ／ｎｅｗｓｄｅｓｋ／ｑ−ｐｈｏｎ「Ｂａｒｃｏｄｅｄ  Ｅ−Ｔｉｃｋｅｔｓ  ａｎｄ  Ｃｏｕｐｏｎｓ  ｏｎ  Ｉ−ｍｏｄｅ（Ｒ）」）。この推薦は、第一の演技の開始前に劇場に入場しようとする消費者にとっては、慰めにはならない。イベント前に消費者が取得し得るハードコピーチケットが望まれる。
【０００６】
インターネットを介してチケットを提供するための異なるアプローチは、ＴｉｃｋｅｔＭａｓｔｅｒ．ｃｏｍによって利用される。そのサービスを利用すると、消費者は、イベントのためのチケットを注文し得、かつ、そのチケットをメールさせるか、または、そのチケットを「呼び出します（ｗｉｌｌ−ｃａｌｌ）」ウィンドウから取り出す。イベントの直前にチケットを購入するか、または、イベント前の数日間にチケットを購入する場合に行列に並ぶ必要もないという簡便さは、提供されない。
【０００７】
ロケーションベースのサービスは、現在では、モバイルデバイスに地図、広告を提供し得る。ロケーションベースのサービスの場合では、マップは、モバイルデバイスのディスプレイに制限され、モバイルデバイスのディスプレイの解像度で閲覧される必要があり、サービスの妨害は、このようなマップを消失させる。マップのハードコピーバージョンは、このような欠点を有しない。
【０００８】
しかし、スマートフォン（ｓｍａｒｔ  ｐｈｏｎｅ）、スマートコミュニケータ（ｓｍａｒｔ  ｃｏｍｍｕｎｉｃａｔｉｏｎ）、および、モバイルＰＤＡ等のモバイル形態デバイスの特徴のいくつかは、ワイヤレスｗｏｒｌｄ  ｗｉｄｅ  ｗｅｂアプリケーションのハードコピー出力を提供するためのハードウェアの挑戦を示す。モバイルデバイスは、小さなメモリ、低電力ＣＰＵ、および縮小されたオペレーティングシステムを有する。プリンタドライバの利用は、これらのデバイスにおいて典型的ではない（もっともありがちなのは、メモリスペースの不足、および、縮小されたオペレーティングシステムのために）。今日のＷｅｂが有効なモアイルデバイスプリントは、データデバイスとしてプリンタを利用することによって達成される。プリンタは、モバイルデバイスのデータポートに接続され、データはプリンタに送信される。プリンタは、例えばＩＰスタック等のモデムのいくつかの性能を有しなくてはならない。オペレーションのこの方法では、プリントされる画像は、モバイルデバイスのディスプレイに表示されない。オペレーションのこの方法においてまた、モバイルデバイスは、ウェブアクセスデバイスから、データまたは音声デバイスであるようにスイッチする必要がある。ウェブアクセスデバイスからデータまたは音声デバイスであるようにスイッチしなくてはならないということは、ウェブが有効なサービスのためのハードコピーを提供することに対して、重大な障害を示す。消費者に、チケット、クーポン、およびマップ等の、モバイルデバイスに提供されるサービスの永久的なレコードを達成するための機会が取得されない。
【発明の開示】
【課題を解決するための手段】
【０００９】
（発明の要旨）
本発明の主要な目的は、モバイルデジタルデバイスのユーザに、モバイルデバイスに提供されるサービスの永久的なレコードを取得させる機会を提供することである。
【００１０】
モバイルデバイスにおいて提供されるサービスの永久的なレコードを取得する機会は、ウェブベースでサービスロケーションベースのサービス、モバイルデバイスに由来しデバイスのロケーションに関係しないサービス、音声ポータルを介して由来するサービス、音声通信を介して由来するウェブベースのサービスの全てのモードに関係なく利用可能であるべきである。（音声ポータルは、しばしば、ｖｏｒｔａｌと表わされ、ユーザがテレフォンによって到達し得るＷｅｂサイトまたは他のサービスである。）
モバイルデバイスに由来しデバイスのロケーションに関係しないサービスに対する本発明の目的を達成するために、本発明の１つの局面は、モバイルデバイスにサービスを提供し、モバイルデバイスのロケーションにそのサービスの永久的なレコードを生成する方法を含む。サービスおよび永久的なレコードは、多くのリモートサーバの少なくとも１つによって処理される。この方法は、（ａ）受信センターにおいて、モバイルデバイスから、サービスに対するリクエストを受信するステップと、（ｂ）受信センターから、サービスサーバに、リクエストに対するデータを提供するステップであって、サービスサーバは、多くのリモートサーバの少なくとも１つのうちの１つである、ステップと、（ｃ）サービスサーバにおいてサービスに対するリクエストを処理するステップであって、該処理は、該サービスに対するデータを生成する、ステップと、（ｄ）サービスに対するデータをプリントサーバに提供するステップであって、プリントサーバは、多くのリモートサーバの少なくとも１つのうちの１つである、ステップと、（ｅ）プリントサーバにおいて、データおよび他の格納されたデータを処理し、特定のプリンタに対して入力データを生成するステップと、（ｆ）モバイルデバイスに入力データを送信するステップであって、入力は、サービスの永久的なレコードとしてモバイルデバイスのロケーションに、特定のプリンタによって提供される、ステップとを含む。
【００１１】
本発明の別の局面では、本方法はまた、トランザクションサーバにおいてトランザクションを完了するステップを含み、トランザクションは、リクエストされたサービスに依存し、トランザクションサーバは、多くのリモートサーバの少なくとも１つのうちの１つである。
【００１２】
本発明のさらに別の局面では、本方法はまた、ステップ（ｃ）の前に、モバイルデバイスを、サービスに対するリクエストが満たされたことを確認するメッセージを送信するステップを含む。
【００１３】
ロケーションベースのサービスのための本発明の目的を達成するために、本方法はまた、ステップ（ｃ）の前に、受信サーバにおいて、モバイルデバイスのロケーションにあるデータを受信するステップを含み、データは、デバイスのロケーションを決定する手段によって生成される。
【００１４】
上記の方法で利用される受信センターは、受信サーバであり得る。受信サーバは、サービスサーバまたはプリントサーバまたは別々のサーバであり得る。
【００１５】
上記の方法で利用される受信センターはまた、音声ポータルであり得る。
【００１６】
本発明のさらに別の局面は、本方法、システムに本方法を実行させるコンピュータ読み出し可能コード、および、特定のプリンタに対する入力データを生成する際に利用されるデータベースを実装するためのシステムである。
【００１７】
サービスに対するリクエストは、音声ポータル、受信センターに対するテレフォンコール、または、Ｗｅｂが有効なテレフォンネットワークを介して生成され得る。サービスは、チケットの購買（ここで、チケットは、イベントチケット、あるいは、飛行機、電車またはバスチケットであり得る）、クーポンの取得、特定の地域のためのマップの取得、または、レストランの調査、メニュー、短いレポート等の特定の情報の取得であり得る。サービスは、ロケーションベースまたはロケーションに特定されないサービスであり得る。
【発明を実施するための最良の形態】
【００１８】
モバイル携帯デジタルデバイスのユーザに、モバイルデバイスに提供されるサービスの永久的なレコード（ｐｅｒｍａｎｅｎｔ  ｒｅｃｏｒｄ）を入手する機会を提供するために、モバイルデバイスにサービスを提供し、モバイルデバイスのロケーションでサービスの永久的なレコードを生成するシステムおよび方法が開示される。本発明のシステムおよび方法の実施形態の記述が、まず最初に与えられる。本発明のシステムおよび方法のいくつかの実施形態の詳細な記述は、その後記述される。
（システムおよび方法）
図１は、モバイルデジタルデバイスのユーザがモバイルデバイス１０でサービスを受け、モバイルデバイス１０のロケーションでサービスの永久的なレコードを生成することを可能にするシステムの実施形態を示す。図７は、方法の実施形態のフローチャートを示す。モバイルデバイス１０は、ネットワーク３０を介して受信センター１２にサービスのリクエストを送信するために利用される。ネットワーク３０は、音声ネットワークまたはウェブを有効にされたネットワークであり得る。ネットワークが音声ネットワークかウェブを有効にされたネットワークかどうかに依存して電話２５ａまたはルータ２５ｂであり得る受信ユニット２５によって、リクエストは受け取られる（工程２００）。リクエストに対するデータが、受信センター１２からサービスサーバ７０に提供される（工程２１０）。受信センター１２からライブラリーサービスサーバ７０へのデータの送信は、受信センター１２とサービスサーバ７０との間の接続の物理的詳細に依存して、異なるモードで起こり得る。サービスサーバ７０が受信センター１２と共に配置され、かつリクエストは、音声ポータルまたは音声を介して受信センター１２に送信された場合、受信センター１２およびサービスサーバ７０は、ローカルネットワークによって接続され得る。（リクエストが音声を介して送られた場合、オペレータは、コンピュータシステムにリクエストを入力することに関与させられる可能性が高い。）サービスサーバ７０は、遠隔ロケーションに位置付けられる場合、受信センター１２およびサービスサーバ７０は、ＴＣＰ／ＩＰネットワークによって接続され得る。リクエストに対するデータが、一旦サービスサーバ７０で受け取られると、サービスに対するリクエストは、サービスサーバ７０で処理される（工程１１０）。リクエストデータの処理は、サービスに対するデータを生成する。リクエストデータの処理は、トランザクションサーバ８０でトランザクション処理を完了すること（工程１３０）を含み得る。トランザクション処理の詳細は、リクエストされたサービスに依存する。トランザクションは、クレジットカードの請求および口座引き落とし認可を含む。サービスサーバ７０とトランザクションサーバ８０との間のデータ交換は、セキュアなプロトコル（例えば、Ｓｅｃｕｒｅ  ＨＴＴＰであるＨＴＴＰＳ、またはＳｅｃｕｒｅ  Ｓｏｃｋｅｔ  Ｌａｙｅｒ、すなわちＳＳＬ）を用いてネットワークを介して起こる。
【００１９】
一旦トランザクションが首尾よく完了されると、サービス１６５に対するデータのリクエスト処理および生成は、完了する。処理のその時点において、サービスサーバ７０からモバイルデバイス１０にメッセージが送られることができ、サービスに対するリクエストが完了されたことを確実にする（工程１４５）。そのメッセージは、永久的なレコードが喪失される場合、ユーザは依然としてサービスを得ることができることを確実にする情報を含み得る。処理にけるその時点においてまた、サービス１６５に対するデータが、プリントサーバ５０にも提供される（工程１４０）。サービスデータ１６５は、個々のサービスのタイプについて異なる。例えば、イベントのチケットについて、サービスデータは、イベント名、イベント日、席情報、チッケト価格、セキュリティ情報および広告またはロゴを含む。プリントサーバ５０は、ネットワーク２０を介してモバイルデバイス１０と交信する。ネットワーク２０は、ＷＡＰネットワーク、ｉ‐ｍｏｄｅ（Ｒ）ネットワークまたはその他任意のウェブを有効にされたモバイルネットワークのいずれかであり得る。デバイス１０がＷＡＰを有効にされたデバイスである場合、ネットワーク２０は、プリントサーバ５０におけるインターネットサービスとＷＡＰを有効にされたデバイス１０との間のインターフェースの役目を行うＷＡＰゲートウェイ（図示されず）を含む。デバイス１０がｉ‐ｍｏｄｅ（Ｒ）電話である場合、ネットワーク２０は、パケット交換ネットワークであり、ＨＴＴＰプロトコルとデバイス１０によって受け取られた縮小されたプロトコルとの間を変換するｉ‐ｍｏｄｅ（Ｒ）センターサーバ（また、図示されず）を含む。デバイス１０とプリントサーバ５０との間の通信は、ＨＴＴＰネットワークの場合のように、リクエストおよびレスポンスシーケンスを介して行われる。本明細書中で参考として援用される、同日に出願され、本明細書中で参考として援用される米国特許出願ａａ／ＡＡＡ，ＡＡＡ（Ａｔｔｙ．Ｄｏｃｋｅｔ  Ｎｏ．８５０４）の「Ｍｅｔｈｏｄ  Ａｎｄ  Ａｐｐａｒａｔｕｓ  Ｆｏｒ  Ｐｒｉｎｔｉｎｇ  Ｒｅｍｏｔｅ  Ｉｍａｇｅｓ  Ｕｓｉｎｇ  Ａ  Ｍｏｂｉｌｅ  Ｄｅｖｉｃｅ  Ａｎｄ  Ｐｒｉｎｔｅｒ」の方法を用いて、プリントサーバ５０は、モバイルデバイスのデータポートに（物理的または無線接続を介して）接続されるプリント１５に関連する情報１６０（図７）を得ることができる。プリンタ情報１６０は、特定のプリンタに対して製造業者名およびモデル番号、および／または特定のプリンタに対してその他任意のプリンタ記述子を含む。プリンタ情報１６０、サービスデータ１６５、および以下でさらに記述され、プリントサーバ５０内のプリントデータ記憶装置５５に含まれる、プリントデータベース４００（図１２）およびサービスデータベース５００（図１３）内のデータを用いて、プリントデータはプリントサーバ５０において生成される（工程１７０、図７）。（サービスデータベース５００は、サービスに対する永久的なレコードについてのデータフォーマット１７５を含む。）本明細書中で参考として援用される、米国特許第５，６９４，４８４号（Ｃｏｔｔｒｅｌｌらによる、Ｓｙｓｔｅｍ  ａｎｄ  Ｍｅｔｈｏｄ  ｆｏｒ  Ａｕｔｏｍａｔｉｃａｌｌｙ  Ｐｒｏｃｅｓｓｉｎｇ  Ｉｍａｇｅ  Ｄａｔａ  ｔｏ  Ｐｒｏｖｉｄｅ  Ｉｍａｇｅｓ  ｏｆ  Ｏｐｔｉｍａｌ  Ｐｅｒｃｅｐｔｕａｌ  Ｑｕａｌｉｔｙ、１９９７年１２月２日発行）、本明細書中で参考としてまた援用される、米国特許第６，１２８，４１５号（Ｈｕｌｔｇｒｅｎらによる、Ｄｅｖｉｃｅ  Ｐｒｏｆｉｌｅｓ  ｆｏｒ  Ｕｓｅ  ｉｎ  ａ  Ｄｉｇｉｔａｌ  Ｉｍａｇｅ  Ｐｒｏｃｅｓｓｉｎｇ  Ｓｙｓｔｅｍ、２０００年１０月３日発行）、および／または本明細書中で参考としてまた援用される、同日に出願された米国特許出願ｂｂ／ＢＢＢ，ＢＢＢ（Ａｔｔｙ．Ｄｏｃｋｅｔ  Ｎｏ．８５０６）、「Ｒｅｎｄｅｒｉｎｇ  Ｉｍａｇｅｓ  Ｕｔｉｌｉｚｉｎｇ  Ａｄａｐｔｉｖｅ  Ｅｒｒｏｒ  Ｄｉｆｆｕｓｉｏｎ」に記載の方法を用いて、既知の特性を有する特定のプリンタ１５において提供される最適な知覚品質の画像を生成するプリントデータは、プリントサーバ５０において生成され得る。米国特許出願ａａ／ＡＡＡ，ＡＡＡ（Ａｔｔｙ．Ｄｏｃｋｅｔ  Ｎｏ．８５０４）の方法を用いて、プリントデータは、ネットワーク２０およびモバイルデバイス１０を介してプリンタに送信される（工程１８０、図７）。プリンタ１５は、プリントデータをプリントし、サービスの永久的なレコード（ｐｅｒｍａｎｅｎｔ  ｒｅｃｏｒｄ）を生成する。
【００２０】
受信センタ１２が受信サーバである実施形態は、図２に示される。１つの実施形態において、ネットワーク２０（図２）は、ＷＡＰネットワークまたはｉ‐ｍｏｄｅ（Ｒ）ネットワークのようなウェブを有効にされた無線ネットワークである。ネットワーク２０がウェブを有効にされた無線ネットワークである実施形態において、モバイルデバイス１０と受信サーバ１７との間のデータの伝送は、ＨＴＴＰリクエストおよびレスポンスに類似するリクエストおよびレスポンスによって行われる。
【００２１】
モバイルデバイス１０で発生し、デバイス１０のロケーションに関連するサービス（ロケーションベースのサービスとも呼ばれる）を提供するために、受信サーバ１７は、サービスに対するリクエストを処理する前に、モバイルデバイス１０のロケーションにあるデータを受信する必要がある。デバイス１０のロケーションにあるデータを提供するために、デバイス１０のロケーションを決定する手段が提供される必要がある。ロケーション決定手段は、（デバイス１０内にさらなるコンポーネントを必要としない）ネットワークベースまたは（デバイス１０内にさらなるコンポーネントを必要とする）デバイスベースであり得、またはユーザがロケーションのインジケータを入力する必要があり得る。ネットワークベースの手段の例示的な形態は、放出源の可能性の高い位置を識別する、電話の電波放出の三角法測定を用いるか、ＲＦマルチパス「指紋」を用いる手段である。ＧＰＳ（グローバルポジションニングシステム）方法は、デバイスベースの方法の例示的な形態である。ＺＩＰコード、住所および電話のエリアコードは、ユーザによって供給されるロケーションのインジケータの例示的な形態を構成する。
【００２２】
図４は、モバイルデジタルデバイスのユーザがモバイルデバイス１０においてロケーションベースのサービスを受け、モバイルデバイス１０のロケーションにおいて、サービスの永久的なレコードを生成することを可能にするシステムの実施形態を示す。図４に示される実施形態において、デバイスベースの方法、すなわちＧＰＳシステム９０は、ロケーション決定手段を含む。図９は、モバイルデジタルデバイスのユーザがモバイルデバイス１０においてロケーションベースのサービスを受け、モバイルデバイス１０のロケーションでサービスの永久的なレコードを生成する方法の実施形態のフローチャートを示す。図４および図９を図２および図７と比較すると、図４のシステムは、ＧＰＳシステム９０の存在によって図２のシステムと異なり、図９の方法は、受信サーバ１７にロケーションデータ１８５を提供するさらなる工程（工程１９０）（図９）によって図７の方法と異なる。１つの実施形態において、ロケーションデータ１８５は、モバイルデバイスの緯度および経度を含む。１つの実施形態において、ネットワーク２０（図４）がＷＡＰネットワークまたはｉ‐ｍｏｄｅ（Ｒ）ネットワークのようなウェブを有効にされた無線ネットワークであり、ロケーションデータ１８５がデバイスベースの方法、すなわちＧＰＳシステム９０によって提供される場合、ロケーションデータ１８５は、モバイルデバイス１０によって受信サーバ１７に送られるリクエスト内のデータとして、受信サーバ１７に提供され得る。他の実施形態においてロケーションデータ１８５がネットワークベースの方法によって提供される場合、ロケーションデータ１８５は、受信サーバ１７に送信する前に、ＷＡＰゲートウェイ（図示されず）またはＩ‐ｍｏｄｅ（Ｒ）センターサーバにおいてモバイルデバイス１０によって送られるリクエスト（またはさらなるリクエスト）に挿入されるデータとして、受信サーバ１７に提供され得る。さらなる他の実施形態において、ロケーションデータ１８５がユーザ入力によって提供される場合、ロケーションデータ１８５は、モバイルデバイス１０によって受信サーバ１７に送られるリクエスト内のデータとして、受信サーバ１７に提供され得る。
（データベース）
プリントサーバ５０は、プリントデータならびにプリンタデータベース４００およびサービスデータベース５００を含むデータ記憶装置５５を含む。データ記憶装置５５は、プリントサーバ５０のコンポーネントで有り得るか、プリントサーバ５０に物理的に接続される別個のデバイスであり得ることは、明らかであるべきである。
【００２３】
図１２を参照すると、プリンタデータベース４００は、プリンタ製造業者名４１０、プリンタのモデル番号４２０、プリンタの画像プロフィールオブジェクト４３０、その他任意のプリンタの記述子４４０および画像処理の記述子４５０を含む。米国特許第６，１２８，４１５号に記載される方法は、プリンタ画像プロフィールオブジェクト４３０を定義するために用いられる。プリンタ画像プロフィールオブジェクト４３０は、プリンタの分解能、プリントされる画像サイズ、変調伝達関数および雑音電力スペクトラムのようなプリンタの空間特性、および（適用される場合）プリンタのカラー特性を含む。画像処理記述子４５０は、用いられるハーフトーンのアルゴリズムおよびそのようなアルゴリズムのパラメータのような画像を供給する場合のプリファレンス（ｐｒｅｆｅｒｅｎｃｅ）を提供する。特定のプリンタに対するプリンタデータベース４００内のデータおよび米国特許第５，６９４，４８４号の方法を用いて、最適な知覚品質は得られる。
【００２４】
図１３を参照すると、サービスデータベース５００は、サービスの名前５１０、プリントされるレコードデータオブジェクト５３０、他のプリントされる項目５４０およびセキュリティ項目のプリファレンス記述子５５０を含む。プリントされるレコードデータオブジェクト５３０は、プリントされるレコードのフォーマット、（プリントされるレコーダ）およびプリントされるレコードを生成するために必要とされる他のデータを含む。フォーマットは、プリントされるページ上のオブジェクトおよびページ上のそれらのロケーションを含む。他のプリントされる項目５４０は、含まれる広告図か、含まれるグラフィックを含む。セキュリティ項目のプリファレンス記述子５５０は、バーコード、デジタルウォーターマーク、セキュリティ画像およびセキュリティ項目を生成するために必要とされるデータなどのセキュリティ項目のタイプを含む。特定のサービスに対するサービスデータベース５００内のデータを用いて、プリントされるレコードを生成する入力データが生成される。この入力データは、プリントされるサービスのレコードである画像を作成するためにプリンタ１５に送られるプリントデータを生成するように、特定のプリンタに対するプリンタデータベース４００内のデータおよび米国特許第５，６９４，４８４号の方法に従って処理される。
【００２５】
以下に与えられるいくつかの詳細な実施形態は、本発明をさらに説明する。
（イベントチケットの提供）
図３Ａを参照すると、１つの実施形態において、モバイルデバイス１０は、図１４Ａおよび図１４Ｂに示されるＷＡＰを有効にされたデバイスであり、受信サーバ１７は、サービスサーバ５０である。図１４Ｂに示されるようにＷＡＰサービスモードを選択した後、ユーザは次にブックマークまたはマイクロブラウザを選択することができる。図３Ａおよび１４Ｂを参照すると、図１４Ｂに示されるようにウェブアクセスモードにあるモバイルデバイス１０のユーザが、ユーザのブックマークから、例えば、ブックマークのＭｙＴｉｃｋｅｔｓ．ｃｏｍを選択する場合、ＷＡＰリクエストは、ネットワーク２０を介して、デバイス１０によって送信され、ＷＡＰゲートウェイ（図示されず）によってサービスサーバ７０に送信されるウェブリクエスト（Ｗｅｂ  ｒｅｑｕｅｓｔ）に変換される。ウェブサイト（図示されない）ＭｙＴｉｃｋｅｔ．ｃｏｍは、サービスサーバ７０に常駐している。サービスサーバ７０は、ＷＡＰゲートウェイおよびネットワーク２０を介して、デバイス１０内のマイクロブラウザにレスポンスを返信する。一連のリクエストおよびレスポンスを通して、ユーザは、イベントを選択する（工程１００、図８）。別のリクエストおよびレスポンスを通して、サービスサーバ７０において、（図示されない他のサーバにアクセスすることを含み得る）イベントのチケットの入手の可能性が確証され、空席が識別されて、ユーザは、席のロケーションを選択し、チケットを購入するよう選択する。チケットを購入するためのリクエストは、ユーザがトランザクションサーバ８０を含むセキュアな接続上でページを見ることをユーザに案内するレスポンスになる。その後、ユーザは、一連のリクエストおよびレスポンスを通して、データ（クレジットカード番号および有効期限、請求住所など）を入力することか、以前にサービスサーバ７０またはトランザクションサーバ８０で記憶されたデータを参照することかのどちらか一方によって、請求情報（トランザクションデータ）１２０を提供し、選択を見直し、そしてトランザクションを完了する（工程１３０、図８）。このことは、チケットを注文する処理を完了する（工程１１０、図８）。処理におけるこの時点において、チケットのリクエストが完了したことを確認するメッセージが、サービスサーバ７０からモバイルデバイス１０に送られ得る（工程１４５、図８）。このメッセージは、永久的なレコードが喪失される場合、ユーザが依然としてサービスを得ることができることを確実にする情報を含み得る。メッセージは電子メール、ＳＭＳサービスメッセージ、またはその他任意の電子メッセージの形態であり得る。方法のこの時点においてまた、サービス１６５についてのデータは、プリントサーバ５０に提供される（工程１４０、図８）。チケットデータ６５は、イベント名、イベント日、席情報、チケット価格、セキュリティ情報および広告またはロゴを含み得る。サービスサーバ７０とプリントサーバ５０との間の送信は、ＴＣＰ／ＩＰネットワーク６０を介して起こる。
【００２６】
米国特許出願ａａ／ＡＡＡ，ＡＡＡ（Ａｔｔｙ．Ｄｏｃｋｅｔ  Ｎｏ．８５０４）の方法を用いると、プリントサーバ５０は、モバイルデバイスのデータポートに（物理的または無線接続を介して）接続されるプリンタ１５に関連する情報１６０を得る（図８）。プリンタ情報を得る工程は、ネットワーク２０を介してモバイルデバイス１０にレスポンスを送る工程、およびプリンタ情報を含むモバイルデバイス１０からリクエストを受け取る工程を含む。プリンタ情報１６０は、特定のプリンタに対して製造業者名およびモデル番号、および／または特定のプリンタについてその他任意のプリンタ記述子を含む。プリントサーバ５０内のプリントデータ記憶装置５５に含まれる、プリンタ情報１６０、チケットデータ１６５およびプリントデータベース４００（図１２）およびサービスデータベース５００（図１３）内のデータを用いて、プリントデータは、プリントサーバ５０で生成される（工程１７０、図８）。米国特許出願ａａ／ＡＡＡ，ＡＡＡ（Ａｔｔｙ．Ｄｏｃｋｅｔ  Ｎｏ．８５０４）の方法のさらなる使用を通して、プリントデータは、ネットワーク２０およびモバイルデバイス１０を介して、プリンタに送信される（工程１８０、図８）。１つの実施形態において、プリントデータを提供することは、プリントデータを含むレスポンスを、ネットワークを介してモバイルデバイス１０に送る工程を含む。プリンタ１５は、プリントデータをプリントし、イベントのチケット（単数または複数）を生成する。図１０は、図８の方法の結果として、プリントされるチケットのサンプルを示す。ユーザは、チケットを購入するため、あるいは「チケット引渡し」窓口からチケットを得るために、イベントで列に並ぶ必要がない。
【００２７】
図３Ｂに示されるように、受信サーバがプリントサーバ、または図２に示されるように別個のサーバであり得ることは明らかであり、チケットを得る方法は、上記の方法に類似する。
（ロケーションベースのクーポンの入手）
図５Ａを参照すると、１つの実施形態において、モバイルデバイス１０は、図１４Ａおよび図１４Ｂに示されるようなＷＡＰを有効にされたデバイスであり、受信サーバ１７はサービスサーバ７０であり、およびロケーションデータ１８５（図９）は、デバイスベースの方法、すなわちＧＰＳシステム９０によって提供される。図１４Ｂに示されるように、ＷＡＰサービスモードを選択した後、ユーザは次いでブックマークまたはマイクロブラウザを選択し得る。図３Ａおよび図１４Ｂを参照すると、図１４Ｂに示されるようなウェブアクセスモードであるモバイルデバイス１０のユーザがユーザのブックマークからブックマーク、例えばＭｙＣｏｕｐｏｎｓ．ｃｏｍを選択する場合、ＷＡＰリクエストは、ネットワーク２０を介してデバイス１０によって送信され、ＷＡＰゲートウェイ（図示されず）によってサービスサーバ７０に送信されるウェブリクエストに変換される。ウェブサイト（図示されず）ＭｙＣｏｕｐｏｎｓ．ｃｏｍはサービスサーバ７０に常駐している。サービスサーバ７０は、ＷＡＰゲートウェイおよびネットワーク２０を介して、デバイス１０内のマイクロブラウザにレスポンスを返信する。リクエストおよびレスポンスシーケンスを通して、ユーザは、ＭｙＣｏｕｐｏｎｓ．ｃｏｍにあるユーザのアカウントにアクセスする。図９を参照すると、リクエストおよびレスポンスシーケンスを通して、クーポンのリクエストは、サービスサーバ７０において受け取られる（工程２０５）。
【００２８】
ネットワーク２０を介して、デバイス１０によって送信されるリクエスト（またはそれに続く複数のリクエスト）は、モバイルデバイス１０用のロケーションデータを含む。このように、ロケーションデータは、サービスサーバ７０において受け取られる（工程１９０）。サービスサーバ７０において、ユーザの特定のデータが、サービスデータ記憶装置５５内に記憶される。ユーザの特定のデータは、特定の小売業者のクーポンに対するユーザのプリファレンスを含む。ロケーションデータ、コンピュータ中枢システムにおいて利用可能な時刻データ、および特定の小売業者のクーポンに対するユーザのプリファレンスを用いて、モバイルデバイス１０のロケーションの近傍にある小売業者のクーポンに対するリクエストデータは、サービスサーバ７０において生成される（工程２１０）。処理におけるその時点において、ユーザのロケーションに近い小売業者をユーザに案内し、クーポンが生成されていることを確認するように、（ＨＴＴＰレスポンスに類似した）レスポンスが、サービスサーバ７０からモバイルデバイス１０に送信され得る（工程１４５、図９）。方法におけるその時点において、サービス１６５に対するデータは、プリントサーバ５０に提供される（工程１４０、図９）。クーポンデータ１６５は、小売業者または商品の名前、有効期限、割引額、セキュリティ情報および広告またはロゴを含む。サービスサーバ７０とプリントサーバ５０との間の送信は、ＴＣＰ／ＩＰネットワーク６０を介して起こる。
【００２９】
米国特許出願ａａ／ＡＡＡ，ＡＡＡ（Ａｔｔｙ．Ｄｏｃｋｅｔ  Ｎｏ．８５０４）の方法を用いて、プリントサーバ５０は、（物理的または無線接続を介して）モバイルデバイスのデータポートに接続されるプリンタ１５に関連する情報１６０を得る（図９）。プリンタ情報を得る工程は、ネットワーク２０を介してレスポンスをモバイルデバイス１０に送る工程、およびプリンタ情報を含むモバイルデバイス１０からリクエストを受け取る工程を含む。プリンタ情報１６０は、特定のプリンタに対して製造業者名およびモデル番号、および／または特定のプリンタに対してその他任意のプリンタ記述子を含む。プリンタ情報１６０、クーポンデータ１６５、およびプリントサーバ５０内のプリントデータ記憶装置５５に含まれるプリントデータベース４００（図１２）およびサービスデータベース５００（図１３）内のデータを用いて、プリントデータは、プリントサーバ５０において生成される（工程１７０、図８）。米国特許出願ａａ／ＡＡＡ，ＡＡＡ（Ａｔｔｙ．Ｄｏｃｋｅｔ  Ｎｏ．８５０４）の方法のさらなる使用を通して、プリントデータは、ネットワーク２０およびモバイルデバイス１０を介して、プリンタに送信される（工程１８０、図９）。プリントデータを提供することは、プリントデータを含むレスポンスをネットワーク２０を介して、モバイルデバイス１０に送る工程を含む。プリンタ１５は、プリントデータをプリントし、クーポン（単数または複数）を生成する。図１１は、上記の方法の結果としてプリントされるクーポンのサンプルを示す。
【００３０】
このように、ユーザに、ユーザのロケーションの近くのロケーションで使用できるユーザの選択の小売業者のクーポンが提供される。
【００３１】
図５Ｂに示されるように、受信サーバがプリントサーバ、または図４に示されるように別個のサーバであり得ることは明らかであり、チケットを入手する方法は、上記に記載の方法に類似する。ロケーションデータを提供する、ネットワークベースまたはユーザ入力ベースの手段を利用するシステムにおいて、システムは図２のシステムと異ならないが、その方法が図９の方法に類似することもまた明らかである。
（モバイル電話を介するイベントのチケット注文）
図６を参照すると、１つの実施形態において、モバイルデバイス１０は、図１４Ａおよび図１４Ｂに示されるようにＷＡＰを有効にされた電話であり、受信センター１７は、サービスセンター１８である。図１４Ａに示されるような電話モードにあるデバイス（ウェブを有効にされた無線電話）１０を用いて、ユーザはサービスセンター１８に接触し、イベントのチケットに対するリクエストを開始する（工程２００、図７）。イベントのチケットの入手の可能性が確証された後（図示されない他のサーバにアクセスすることを含み得る）、空席が識別されて、ユーザは席のロケーションを選択し、チケットを購入するように選択する。ユーザは、請求情報（トランザクションデータ）を提供し得るか、またはトランザクションデータは（１つの実施形態では、データ記憶装置７５内の）ファイル中に存在し得る。ユーザとサービスセンター１８との間の交信は、ユーザと人間のオペレーター（図示されず）との間、またはユーザと音声認識および生成を伴うコンピュータ（また図示されず）との間で起こり得る。音声認識および生成を有するコンピュータが、サービスサーバ７０に組み込まれ得ることは明らかであるべきである。チケットリクエストデータは、次に、１つの実施形態において、サービスサーバ７０と通信するコンピュータメカ（図示されず）によって、サービスサーバ７０に提供される（工程２１０、図７）。
【００３２】
このことは、チケット注文の処理を完了する（工程１１０、図７）。処理におけるその時点において、チケットに対するリクエストが完了したことを確認するように、サービスサーバ７０からモバイルデバイス１０に、メッセージが送信され得る（工程１４５、図７）。そのメッセージは、永久的なレコードが喪失される場合、ユーザが依然としてサービスを得ることができることを確実にする情報を含み得る。メッセージはまた、ユーザにチケットがプリントされることを案内する。メッセージは、電子メール、ＳＭＳサービスメッセージまたはその他任意の電子メッセージの形態であり得る。ユーザは、図１４Ｂに示されるようなＷＡＰサービスモードを選択し、マイクロブラウザを選択する。
【００３３】
この方法のこの時点においてまた、サービス１６５に対するデータは、プリントサーバ５０に提供される（工程１４０、図７）。チケットデータ１６５は、イベント名、イベント日、席情報、チケット価格、セキュリティ情報および広告またはロゴを含む。サービスサーバ７０とプリントサーバ５０との間の送信は、ＴＣＰ／ＩＰネットワーク６０を介して起こる。
【００３４】
米国特許出願ａａ／ＡＡＡ，ＡＡＡ（Ａｔｔｙ．Ｄｏｃｋｅｔ  Ｎｏ．８５０４）の方法を用いて、プリントサーバ５０は、（物理的または無線接続を介して）モバイルデバイスのデータポートに接続されるプリンタ１５に関連する情報１６０を得る（図７）。プリンタ情報を得る工程は、ネットワーク２０を介してモバイルデバイス１０にレスポンスを送る工程、およびプリンタ情報を含むモバイルデバイス１０からリクエストを受け取る工程を含む。プリンタ情報１６０は、特定のプリンタに対して製造業者名およびモデル番号、および／または特定のプリンタに対してその他任意のプリンタ記述子を含む。プリンタ情報１６０、チケットデータ１６５、およびプリントサーバ５０内のプリントデータ記憶装置５５に含まれるプリントデータベース４００（図１２）およびサービスデータベース５００（図１３）内のデータを用いて、プリントデータは、プリントサーバ５０において生成される（工程１７０、図７）。米国特許出願ａａ／ＡＡＡ，ＡＡＡ（Ａｔｔｙ．Ｄｏｃｋｅｔ  Ｎｏ．８５０４）の方法のさらなる使用を通して、プリントデータは、ネットワーク２０およびモバイルデバイス１０を介して、プリンタに送信される（工程１８０、図９）。プリントデータを提供することは、プリントデータを含むレスポンスをネットワーク２０を介して、モバイルデバイス１０に送ることを含む。プリンタ１５は、プリントデータをプリントし、チケット（単数または複数）を生成する。図１０は、上記の方法の結果としてプリントされるチケットのサンプルを示す。ユーザは、チケットを購入するため、あるいは「チケット引渡し」窓口からチケットを得るために、イベントで列に並ぶ必要がない。
【００３５】
音声ポータルが受信センター１２またはサービスセンター１８において用いられることができ、方法が上記の方法に類似することは明らかである。
【００３６】
本発明は特定の実施形態について以上に記述されてきたが、前述の実施形態は例示的にのみ提供され、本発明の範囲を限定したり、定義しないことが理解される。他の実施形態もまた、上掲の請求範囲に定義される本発明の範囲内である。上掲の請求範囲に入る他の実施形態は以下のものを含み、これに限定されない。
【００３７】
上記のシステムおよび方法を用いて提供されるサービスは、チケット（イベントと交通（航空、電車、バス）との両方のチケット）、レストラン情報（メニューおよびレビュー）およびクーポンのようなロケーションと無関係なサービス、および最も近くの店またはホテル、または所定のロケーションへの道案内および／または地図を入手すること、交通情報を入手すること、所定のロケーションの近傍にあるレストランのレストラン情報（メニューおよびレビュー）を入手すること、モバイルデバイスにおいてロケーションベースのクーポンを受け取ることのようなロケーションベースのサービスを含む。
【００３８】
上記の実施形態は、米国特許出願ａａ／ＡＡＡ，ＡＡＡ（Ａｔｔｙ．Ｄｏｃｋｅｔ  Ｎｏ．８５０４）に記載される特定のプリント方法を利用するが、米国特許出願ａａ／ＡＡＡ，ＡＡＡ（Ａｔｔｙ．ＤｏｃｋｅｔＮｏ．８５０４）に記載されるいずれのプリント方法も、本発明と共に用いられ得る。米国特許出願ａａ／ＡＡＡ，ＡＡＡ（Ａｔｔｙ．Ｄｏｃｋｅｔ  Ｎｏ．８５０４）に記載されるように、モバイル通信デバイス１０とプリントサーバ５０との間の接続は、様々な様式のうちのいずれにおいて確立され得、例えば、（１）無線音声ネットワークを介してプリントサーバ５０に電話をかけるために、モバイル通信デバイス１０を用いること、（２）データネットワーク上のプリントサーバ５０に接続を確立するためのモデムとして、モバイル通信デバイス１０を用いること、（３）インターネットを介してプリントサーバ５０（またはプリントサーバと関連するアプリケーションサーバ）に接続するために、インターネットモードのモバイル通信デバイス１０を用いることなどである。
【００３９】
モバイルデバイスは、無線電話、高度自動機能電話（ｓｍａｒｔ  ｐｈｏｎｅ）、無線能力を有する携帯情報端末デバイス（ＰＤＡ）、高度自動機能通信デバイス（ｓｍａｒｔ  ｃｏｍｍｕｎｉｃａｔｉｏｎ  ｄｅｖｉｃｅ）、自動車に組み込まれたモバイルデバイスまたは無線能力を有するインテリジェントデジタルカメラのような計算、記憶および無線能力を有する任意のデバイスでも有り得る。
【００４０】
このシステムでは、ＷＡＰ、ＤｏＣｏＭｏのＩ‐ｍｏｄｅ（Ｒ）プロトコル、またはそれに続く任意の規格のようなプロトコルを用いて、ネットワーク２０を介して送信し、そしてＷＭＬ、ｃ‐ＨＴＭＬ、ＸＨＴＭＬまたはそれに続くマークアップ言語の任意の規格のようなマークアップ言語を用いることが有効にされ得る。
【００４１】
縮小されたマークアップ言語およびプロトコルからの任意の変換の形態が用いられ得、ＷＡＰゲートウェイまたはＩ‐ｍｏｄｅ（Ｒ）センターサーバのような変換システムは、受信サーバ１７に組み込まれ得る。受信サーバ１７とモバイルデバイス１０との間を情報が流れることを有効にする任意の構成が、用いられ得る。
【００４２】
理解される必要があるのは、ユーザがモバイルデバイス１０においてサービスの永久的なレコードを入手する機能を実行するいくつかの構成および任意の組み合わせに、サービスサーバ７０、トランザクションサーバ８０、プリントサーバ５０および受信サーバ１７が結合され得ることが、本発明の範囲内であることである。例えば、サービスサーバ７０、トランザクションサーバ８０およびプリントサーバ５０は、１つのサーバに結合され得るか、またはサービスサーバ７０およびトランザクションサーバ８０は結合され得るか、および／またはプリントサーバ５０はプリントデータを準備し得、サービスサーバ７０にこのプリントデータを送信し、そしてプリントデータは、サービスサーバ７０からモバイルデバイス１０およびプリンタ１５に送信される。サーバは、ウェブサーバ、ＦＴＰサーバまたは必要とされる機能を実行する任意の形態のサーバでもあり得る。
【００４３】
サーバ５０、７０、８０および１８、およびモバイルデバイス１０は、計算能力およびデータ記憶能力を有し、計算オペレーションに対する命令を含むコンピュータ読み取り可能な媒体を利用する。例えば、コンピュータ読み取り可能な媒体の共通な形態は、フロッピー（Ｒ）ディスク、フレキシブルディスク、ハードディスク、磁気テープまたはその他任意の磁気媒体、ＣＤＲＯＭ、その他任意の光媒体、パンチカード、紙テープ、穴のパターンを有するその他任意の物理的媒体、ＲＡＭ、ＰＲＯＭ、およびＥＰＲＯＭ、ＦＬＡＳＨ‐ＥＰＲＯＭ、その他任意のメモリチップまたはカートリッジ、以下に記述される搬送波、またはコンピュータが読み取ることができるその他の媒体を含む。ネットワーク２０および６０は、様々な情報を表すデジタルデータストリームを搬送する電気、電磁気、光信号を用いる。モバイルデバイス１０、サーバ５０、７０、８０および１８に対して授受するデジタルデータを搬送する様々なネットワークおよびルータまたはモデム４１、４２および４３を通る信号は、情報を伝送する搬送波の例示的な形態である。モバイルデバイス１０、サーバ５０、７０、８０および１８は、プログラムコードを含み得るデジタルデータを交換するため、モバイルデバイス１０、サーバ５０、７０、８０および１８は、コンピュータ制御システムの例示的な形態を含む。
【００４４】
開示される実施形態の組み合わせ、追加、変化および他の変更を含む、本発明の他の実施形態は、当業者には明らかであり、上掲の請求範囲内である。
【図面の簡単な説明】
【００４５】
【図１】図１は、モバイルデバイスにサービスを提供する工程、およびモバイルデバイスのロケーションでサービスの永久的なレコードを生成する工程を可能にするシステムの実施形態のグラフィック表現を示す。
【図２】図２は、モバイルデバイスにサービスを提供する工程、およびモバイルデバイスのロケーションでサービスの永久的なレコードを生成する工程を可能にするシステムの実施形態のグラフィック表現を示し、ただし、受信センターは受信サーバである。
【図３Ａ】図３Ａは、モバイルデバイスにサービスを提供する工程、およびモバイルデバイスのロケーションでサービスの永久的なレコードを生成する工程を可能にするシステムの実施形態のグラフィック表現を示し、ただし、受信センターは受信サーバであり、受信サーバはサービスサーバである。
【図３Ｂ】図３Ｂは、モバイルデバイスにサービスを提供する工程、およびモバイルデバイスのロケーションでサービスの永久的なレコードを生成する工程を可能にするシステムの実施形態のグラフィック表現を示し、ただし、受信センターは受信サーバであり、受信サーバはプリントサーバである。
【図４】図４は、モバイルデバイスにサービスを提供する工程、およびモバイルデバイスのロケーションでサービスの永久的なレコードを生成する工程を可能にするシステムの実施形態のグラフィック表現を示し、ただし、受信センターは受信サーバであり、モバイルデバイスのロケーション上のデータは受信サーバで入手可能であり、そして受信サーバはサービスサーバである。
【００４６】
図４は、モバイルデバイスにサービスを提供する工程、およびモバイルデバイスのロケーションでサービスの永久的なレコードを生成する工程を可能にするシステムの実施形態のグラフィック表現を示し、ただし、受信センターは受信サーバであり、モバイルデバイスのロケーション上のデータは受信サーバで入手可能である。
【図５Ａ】図５Ａは、モバイルデバイスにサービスを提供する工程、およびモバイルデバイスのロケーションでサービスの永久的なレコードを生成する工程を可能にするシステムの実施形態のグラフィック表現を示し、ただし、受信センターは受信サーバであり、モバイルデバイスのロケーション上のデータは受信サーバで入手可能であり、受信サーバはサービスサーバである。
【図５Ｂ】図５Ｂは、モバイルデバイスにサービスを提供する工程、およびモバイルデバイスのロケーションでサービスの永久的なレコードを生成する工程を可能にするシステムの実施形態のグラフィック表現を示し、ただし、受信センターが受信サーバであり、モバイルデバイスのロケーション上のデータは受信サーバで入手可能であり、受信サーバはプリントサーバである。
【図６】図６は、モバイルデバイスにサービスを提供する工程、およびモバイルデバイスのロケーションでサービスの永久的なレコードを生成する工程を可能にするシステムの実施形態のグラフィック表現を示し、ただし、受信センターは受信サーバであり、モバイルデバイスのロケーション上のデータは受信サーバで入手可能であり、受信サーバはサービスセンターである。
【図７】図７は、モバイルデバイスでサービスを提供する工程、およびモバイルデバイスのロケーションでサービスの永久的なレコードを生成する工程を可能にする方法の実施形態のフローチャートを示す。
【図８】図８は、モバイルデバイスでサービスを提供する工程、およびモバイルデバイスのロケーションでサービスの永久的なレコードを生成する工程を可能にする方法の実施形態のフローチャートを示し、ただし、受信センターは受信サーバであり、受信サーバはサービスサーバである。
【図９】図９は、モバイルデバイスでサービスを提供する工程、およびモバイルデバイスのロケーションでサービスの永久的なレコードを生成する工程を可能にする方法の実施形態のフローチャートを示し、ただし、受信センターは受信サーバであり、モバイルデバイスのロケーション上のデータは受信サーバで入手可能である。
【図１０】図１０は、図７、図８および図９の方法の結果としてプリントされる永久的なレコードとしてチケットのサンプルを示す。
【図１１】図１１は、図７、図８および図９の方法の結果としてプリントされる永久的なレコードとしてクーポンのサンプルを示す。
【図１２】図１２は、プリンタデータベースの実施形態のコンテンツを示す。
【図１３】図１３は、プリントされたレコードのデータベースの実施形態のコンテンツを示す。
【図１４Ａ】図１４Ａは、ＷＡＰが有効にされたデバイス用のグラフィックユーザインタフェースの表現を示す。
【図１４Ｂ】図１４Ｂは、ＷＡＰが有効にされたデバイス用のグラフィックユーザインタフェースの表現を示す。
【図１】
2005515523.tif 000003
【図２】
2005515523.tif 000004
【図３Ａ】
2005515523.tif 000005
【図３Ｂ】
2005515523.tif 000006
【図４】
2005515523.tif 000007
【図５Ａ】
2005515523.tif 000008
【図５Ｂ】
2005515523.tif 000009
【図６】
2005515523.tif 000010
【図７】
2005515523.tif 000011
【図８】
2005515523.tif 000012
【図９】
2005515523.tif 000013
【図１０】
2005515523.tif 000014
【図１１】
2005515523.tif 000015
【図１２】
2005515523.tif 000016
【図１３】
2005515523.tif 000017
【図１４Ａ】
2005515523.tif 000018
【図１４Ｂ】
2005515523.tif 000019
【国際調査報告】
2005515523.tif 000020
2005515523.tif 000021
2005515523.tif 000022
2005515523.tif 000023
2005515523.tif 000024
2005515523.tif 000025